(57)【要約】【課題】  遊技性を向上させるために遊技球の移動経路を変える遊技構成部品を備えた弾球遊技機を提供する。【解決手段】  パチンコ機ＰＭが、センター役物ＣＹの内部空間１０１に設けられた上段ステージ１１０の前下方に遊技盤１０に対して略垂直に延びる回転軸１４２を中心として回転自在な回転体１４０を備え、内部空間１０１に導入されて上段ステージ１１０を転動する遊技球が球受容位置に位置する回転体１４０の外周の一部に凹んで形成された球受容部１４１に落入し、回転体１４０が回転して回転体１４０の球排出位置において球受容部１４１から排出された遊技球が回転体１４０の前下方に前方に延びて形成された下段ステージ１３０の溝部１３１を前方に転動して始動入賞装置１７に向けて落下するように構成される。【選択図】  図３
2006149923.tif 000002
【特許請求の範囲】
【請求項１】
入賞装置が設けられた遊技盤を立設配置して構成され、前記遊技盤の上部に打ち出された遊技球を前記遊技盤の前面に沿って落下移動させて前記入賞装置へ入賞させる遊技を行うように構成された弾球遊技機において、
前記遊技盤に対して略垂直に延びる回転軸を中心として回転自在な回転体を備え、遊技球を所定の方向に誘導する遊技構成部品が前記遊技盤に配設され、
前記回転体が、前記回転体の外周に凹んで形成され前記回転体の回転とともに回転移動して遊技球を受容、排出可能な球受容部を有し、
自由状態においては前記回転軸に対して偏在する前記回転体の重心位置が鉛直下方に位置して前記球受容部が上方に開口する球落入位置に前記回転体が位置し、前記遊技盤上を落下移動する遊技球が前記球受容部に落入可能に構成され、
前記球受容部に遊技球を受容した状態では前記遊技球を含む前記回転体の重心位置が前記回転軸よりも上方に位置して前記球受容部が下方に回転移動し、前記球受容部が下方に開口する球排出位置に前記回転体が位置して遊技球が前記球受容部から排出されるように構成されたことを特徴とする弾球遊技機の遊技構成部品。
【請求項２】
前記回転体が前記球落入位置に位置した状態では、前記球受容部に遊技球を受容したときの前記遊技球を含む前記回転体の重心位置が前記回転軸の鉛直方向に対して左右いずれかに偏在し、且つ、前記回転軸よりも上方に位置し、
前記回転体が前記球排出位置に位置した状態では、前記球受容部から遊技球が排出された直後における前記回転体の重心位置が前記回転軸の鉛直方向に対して左右いずれかに偏在し、且つ、前記回転軸よりも上方に位置するように前記球受容部が形成されていることを特徴とする請求項１に記載の弾球遊技機の遊技構成部品。
【請求項３】
入賞装置が設けられた遊技盤を立設配置して構成され、前記遊技盤の上部に打ち出された遊技球を前記遊技盤の前面に沿って落下移動させて前記入賞装置へ入賞させる遊技を行うように構成された弾球遊技機において、
前記遊技盤の前面に後方に凹んで形成され遊技球を内部空間内に導入可能に構成されたセンター役物が設けられ、
前記遊技盤に対して略垂直に延びる回転軸を中心として回転自在な回転体を備え、遊技球を所定の方向に誘導する遊技構成部品が前記センター役物に配設され、
前記回転体が、前記回転体の外周に凹んで形成され前記回転体の回転とともに回転移動して遊技球を受容、排出可能な球受容部を有し、
自由状態においては前記回転軸に対して偏在する前記回転体の重心位置が鉛直下方に位置して前記球受容部が上方に開口する球落入位置に前記回転体が位置し、前記遊技盤上を落下移動する遊技球が前記球受容部に落入可能に構成され、
前記球受容部に遊技球を受容した状態では前記遊技球を含む前記回転体の重心位置が前記回転軸よりも上方に位置して前記球受容部が下方に回転移動し、前記球受容部が下方に開口する球排出位置に前記回転体が位置して遊技球が前記球受容部から排出されるように構成され、
前記内部空間の下部に設けられ前記内部空間に導入された遊技球が転動可能な第１のステージ部と、
前記内部空間における前記第１のステージ部の前下方に設けられた前記回転体と、
前記内部空間における前記第１のステージ部の前下方に設けられ前記第１のステージ部から落下した遊技球が転動可能な第２のステージ部とを有し、
前記第１のステージ部における所定の落下位置から落下する遊技球が前記球落入位置に位置する前記回転体の前記球受容部に落入可能に構成されたことを特徴とする弾球遊技機。
【請求項４】
入賞装置が設けられた遊技盤を立設配置して構成され、前記遊技盤の上部に打ち出された遊技球を前記遊技盤の前面に沿って落下移動させて前記入賞装置へ入賞させる遊技を行うように構成された弾球遊技機において、
前記遊技盤の前面に後方に凹んで形成され遊技球を内部空間内に導入可能に構成されたセンター役物が設けられ、
前記遊技盤に対して略垂直に延びる回転軸を中心として回転自在な回転体を備え、遊技球を所定の方向に誘導する遊技構成部品が前記センター役物に配設され、
前記回転体が、前記回転体の外周に凹んで形成され前記回転体の回転とともに回転移動して遊技球を受容、排出可能な球受容部を有し、
自由状態においては前記回転軸に対して偏在する前記回転体の重心位置が鉛直下方に位置して前記球受容部が上方に開口する球落入位置に前記回転体が位置し、前記遊技盤上を落下移動する遊技球が前記球受容部に落入可能に構成され、
前記球受容部に遊技球を受容した状態では前記遊技球を含む前記回転体の重心位置が前記回転軸よりも上方に位置して前記球受容部が下方に回転移動し、前記球受容部が下方に開口する球排出位置に前記回転体が位置して遊技球が前記球受容部から排出されるように構成され、
前記内部空間の下部に設けられ前記内部空間に導入された遊技球が転動可能な第１のステージ部と、
前記内部空間における前記第１のステージ部の前下方に設けられ前記第１のステージ部から落下した遊技球が転動可能な第２のステージ部とを有し、
前記第１のステージ部に前記第１のステージを転動する遊技球が落下可能な下方に開口する開口部が形成され、
前記回転体が前記開口部の下方に設けられて前記球落入位置に位置する前記回転体の前記球受容部と前記開口部とが上下に連通することにより、遊技球が前記開口部を介して前記球受容部に落入可能に構成されたことを特徴とする弾球遊技機。
【請求項５】
前記第２のステージ部における前記回転体の前下方に遊技球を受け止めて支持する溝部が前後に延びて形成され、
前記回転体の前記球受容部から排出された遊技球が前記溝部に落入し前記溝部を前方に転動して前記センター役物の下方に設けられた所定の前記入賞装置に向けて落下するように構成されたことを特徴とする請求項３もしくは４に記載の弾球遊技機。
【請求項６】
前記回転体が前記球落入位置に位置した状態では、前記球受容部に遊技球を受容したときの前記遊技球を含む前記回転体の重心位置が前記回転軸の鉛直方向に対して左右いずれかに偏在し、且つ、前記回転軸よりも上方に位置し、
前記回転体が前記球排出位置に位置した状態では、前記球受容部から遊技球が排出された直後における前記回転体の重心位置が前記回転軸の鉛直方向に対して左右いずれかに偏在し、且つ、前記回転軸よりも上方に位置するように前記球受容部が形成されていることを特徴とする請求項３〜５に記載の弾球遊技機。
【発明の詳細な説明】
【技術分野】
【０００１】
本発明は、弾球遊技機の遊技構成部品に関し、さらに、このような遊技構成部品を備え、遊技盤の上部に打ち出された遊技球を遊技盤の前面に沿って落下移動させ、遊技盤の前面に設けられた入賞装置へ入賞させる遊技を行う弾球遊技機に関する。
【背景技術】
【０００２】
このような弾球遊技機を代表するものとしてパチンコ機が知られている。パチンコ機は、これに装備された発射装置から発射された遊技球を遊技盤面上に配設したレールに沿って移動させて遊技盤の上部に打ち出し、遊技球を遊技盤前面に沿って落下移動させ、遊技盤前面の所望位置に設けられた入賞装置へ遊技球が入賞したときに、所定数の遊技球を賞球として払い出す遊技を行うように構成されている。遊技盤の前面には、入賞装置に加えて所定の配列で遊技盤に打ち込まれた多数の釘、風車等が遊技構成部品として設けられており、遊技球の落下移動経路を多様に変化させて遊技演出効果を持たせている。さらに、遊技盤前面の遊技領域の周囲にはレール飾り、ランプ飾りが設けられて遊技領域を設定するとともに遊技中でのランプ点灯により演出効果を高める工夫が凝らされている。
【０００３】
また、遊技盤の中央部には、周囲を中央飾りにより囲まれるとともにその内部空間内に液晶表示装置や入賞具を設けてなるセンター役物を配設することも多い。センター役物において内部空間内に入賞具を設けるときに、中央飾りの上部や左右側部に遊技球が入り込むことが可能な通路を設け、この通路を通って内部空間内に入り込んだ遊技球が内部空間の下面転動面上を転動移動して、入賞具に入賞したり、入賞具には入賞せずに外側に排出されたりするような工夫がなされている。このようなことは、例えば、特許文献１にも記載されている。
【特許文献１】特開２００４−１４７９４１号公報
【発明の開示】
【発明が解決しようとする課題】
【０００４】
このように従来のパチンコ機では遊技盤前面に沿って落下移動する遊技球の移動経路に多様性を持たせたり、センター役物において中央飾りの内部空間の下面転動での遊技球の転動移動による演出等、遊技性を高め、遊技者が遊技をより楽しく行えるようにする種々の工夫がなされているが、近年特にモータ等の動力を必要とせずに作動して遊技球の移動経路を変更させるような遊技構成部品をセンター役物に自由に配設して遊技性をさらに高めることができるような遊技装置構成が求められている。
【０００５】
以上のような課題に鑑みて、本発明では、遊技性をより向上させた弾球遊技機の遊技構成部品およびこれを適用した弾球遊技機を提供することを目的とする。
【課題を解決するための手段】
【０００６】
前記課題を解決するために本発明に係る弾球遊技機の遊技構成部品は、入賞装置（例えば、実施形態における始動入賞装置１７および大入賞装置１８）が設けられた遊技盤を立設配置して構成され、遊技盤の上部に打ち出された遊技球を遊技盤の前面に沿って落下移動させて入賞装置へ入賞させる遊技を行うように構成された弾球遊技機（例えば実施形態におけるパチンコ機ＰＭ）において、遊技盤に対して略垂直に延びる回転軸を中心として回転自在な回転体を備え、遊技球を所定の方向に誘導する遊技構成部品が遊技盤に配設され、回転体が、回転体の外周に凹んで形成され回転体の回転とともに回転移動して遊技球を受容、排出可能な球受容部を有し、自由状態においては回転軸に対して偏在する回転体の重心位置が鉛直下方に位置して球受容部が上方に開口する球落入位置に回転体が位置し、遊技盤上を落下移動する遊技球が球受容部に落入可能に構成され、球受容部に遊技球を受容した状態では遊技球を含む回転体の重心位置が回転軸よりも上方に位置して球受容部が下方に回転移動し、球受容部が下方に開口する球排出位置に回転体が位置して遊技球が球受容部から排出されるように構成される。
【０００７】
また、上記構成の弾球遊技機の遊技構成部品において、回転体が球落入位置に位置した状態では、球受容部に遊技球を受容したときの遊技球を含む回転体の重心位置が回転軸の鉛直方向に対して左右いずれかに偏在し、且つ、回転軸よりも上方に位置し、回転体が球排出位置に位置した状態では、球受容部から遊技球が排出された直後における回転体の重心位置が回転軸の鉛直方向に対して左右いずれかに偏在し、且つ、回転軸よりも上方に位置するように球受容部が形成されていることが好ましい。
【０００８】
また、前記課題を解決するために本発明に係る弾球遊技機は、入賞装置（例えば、実施形態における始動入賞装置１７および大入賞装置１８）が設けられた遊技盤を立設配置して構成され、遊技盤の上部に打ち出された遊技球を遊技盤の前面に沿って落下移動させて入賞装置へ入賞させる遊技を行うように構成された弾球遊技機（例えば、実施形態におけるパチンコ機ＰＭ）において、遊技盤の前面に後方に凹んで形成され遊技球を内部空間内に導入可能に構成されたセンター役物が設けられ、遊技盤に対して略垂直に延びる回転軸を中心として回転自在な回転体を備え、遊技球を所定の方向に誘導する遊技構成部品がセンター役物に配設され、回転体が、回転体の外周に凹んで形成され回転体の回転とともに回転移動して遊技球を受容、排出可能な球受容部を有し、自由状態においては回転軸に対して偏在する回転体の重心位置が鉛直下方に位置して球受容部が上方に開口する球落入位置に回転体が位置し、遊技盤上を落下移動する遊技球が球受容部に落入可能に構成され、球受容部に遊技球を受容した状態では遊技球を含む回転体の重心位置が回転軸よりも上方に位置して球受容部が下方に回転移動し、球受容部が下方に開口する球排出位置に回転体が位置して遊技球が球受容部から排出されるように構成され、内部空間の下部に設けられ内部空間に導入された遊技球が転動可能な第１のステージ部（例えば、実施形態における上段ステージ１１０）と、内部空間における第１のステージ部の前下方に設けられた回転体と、内部空間における第１のステージ部の前下方に設けられ第１のステージ部から落下した遊技球が転動可能な第２のステージ部（例えば、実施形態における下段ステージ１３０）とを有し、第１のステージ部における所定の落下位置から落下する遊技球が球落入位置に位置する回転体の球受容部に落入可能に構成されるのが好ましい。
【０００９】
また、前記課題を解決するために本発明に係る弾球遊技機は、入賞装置（例えば、実施形態における始動入賞装置１７および大入賞装置１８）が設けられた遊技盤を立設配置して構成され、遊技盤の上部に打ち出された遊技球を遊技盤の前面に沿って落下移動させて入賞装置へ入賞させる遊技を行うように構成された弾球遊技機（例えば実施形態におけるパチンコ機ＰＭ）において、遊技盤の前面に後方に凹んで形成され遊技球を内部空間内に導入可能に構成されたセンター役物が設けられ、遊技盤に対して略垂直に延びる回転軸を中心として回転自在な回転体を備え、遊技球を所定の方向に誘導する遊技構成部品がセンター役物に配設され、回転体が、回転体の外周に凹んで形成され回転体の回転とともに回転移動して遊技球を受容、排出可能な球受容部を有し、自由状態においては回転軸に対して偏在する回転体の重心位置が鉛直下方に位置して球受容部が上方に開口する球落入位置に回転体が位置し、遊技盤上を落下移動する遊技球が球受容部に落入可能に構成され、球受容部に遊技球を受容した状態では遊技球を含む回転体の重心位置が回転軸よりも上方に位置して球受容部が下方に回転移動し、球受容部が下方に開口する球排出位置に回転体が位置して遊技球が球受容部から排出されるように構成され、内部空間の下部に設けられ内部空間に導入された遊技球が転動可能な第１のステージ部（例えば、実施形態における上段ステージ２１０）と、内部空間における第１のステージ部の前下方に設けられ第１のステージ部から落下した遊技球が転動可能な第２のステージ部（例えば、実施形態における下段ステージ２３０）とを有し、第１のステージ部に第１のステージを転動する遊技球が落下可能な下方に開口する開口部が形成され、回転体が開口部の下方に設けられて球落入位置に位置する回転体の球受容部と開口部とが上下に連通することにより、遊技球が開口部を介して球受容部に落入可能に構成されるようにしてもよい。
【００１０】
さらに、上記構成の弾球遊技機において、第２のステージ部における回転体の前下方に遊技球を受け止めて支持する溝部が前後に延びて形成され、回転体の球受容部から排出された遊技球が溝部に落入し溝部を前方に転動してセンター役物の下方に設けられた所定の入賞装置（例えば、実施形態における始動入賞装置１７）に向けて落下するように構成するのが好ましい。
【００１１】
また、上記構成の弾球遊技機において、回転体が球落入位置に位置した状態では、球受容部に遊技球を受容したときの遊技球を含む回転体の重心位置が回転軸の鉛直方向に対して左右いずれかに偏在し、且つ、回転軸よりも上方に位置し、一方、回転体が球排出位置に位置した状態では、球受容部から遊技球が排出された直後における回転体の重心位置が回転軸の鉛直方向に対して左右いずれかに偏在し、且つ、回転軸よりも上方に位置するように球受容部が形成されているように構成するのが好ましい。
【発明の効果】
【００１２】
本発明に関する弾球遊技機の遊技構成部品およびこれを適用した弾球遊技機によれば、センター役物の内部空間に導入された遊技球がステージを転動しつつ中央飾りの下方に向けて落下するが、内部空間には遊技球を所定の方向に誘導する回転体が遊技構成部品として設けられている。そして、ステージを転動する遊技球がこの回転体によって受容されると、遊技球を受容した状態で回転した後に遊技球を所定の方向に排出するようになっている。このような回転体を設けることにより、遊技球の落下移動経路を多様に変化させて遊技演出効果を向上させることができる。
【００１３】
また、本発明によれば、回転体の存在によって遊技球を入賞装置に入賞させ易くしたり、入賞させにくくしたりすることが可能で、特に、回転体を通過した遊技球は入賞装置に入賞し易いように構成されており、遊技性がより向上した遊技装置構成になっている。さらに、この回転体の作動には、モータやソレノイドといった動力を必要としないため、外部からの電力供給が不要で外部配線が不要であり、配線による制約を受けないことからセンター役物のステージ上に自由に配設することができるという利点を有する。その上、モータやソレノイドを必要としない分、部品の数を減らすことができ、遊技装置を構成する上でのコストを削減することができる。
【発明を実施するための最良の形態】
【００１４】
以下、本発明の好ましい実施形態について図面を参照しながら説明する。本発明に係る弾球遊技機の代表例としてパチンコ機ＰＭを図１および図２に示しており、まず、これらの図面を参照しながらパチンコ機ＰＭの全体構成について要約説明する。ここで、図１はパチンコ機ＰＭのガラス扉を開放して示す正面図で、図２はパチンコ機ＰＭの内部構造を表した背面図である。
【００１５】
パチンコ機ＰＭは、図１に示すように、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構により前方に横開き開閉及び着脱が可能に取り付けられ、正面右側に設けられた施錠装置７を利用して常には外枠１と係合連結された閉止状態に保持される。
【００１６】
前枠２の前面側には、上部に前枠２の前面域に合わせた方形状のガラス扉３が、下部に球皿４が、それぞれ正面左側に設けられたヒンジ機構で横開き開閉及び着脱可能に取り付けられ、正面右側に設けられた施錠装置７および球皿施錠装置（図示せず）を利用して常には前枠２の前面を覆う閉止状態に保持される。また、球皿４の右側下部には、遊技球の発射操作を行う発射ハンドル５が取り付けられている。
【００１７】
ガラス扉３の背後に位置する前枠上部には、方形枠状の収容部２ａが前枠２に一体に設けられており、この収容部２ａに設けられた遊技盤係止具８を利用して遊技盤１０が前面側から着脱可能に立設保持されてガラス扉３を通して視認可能となっている。なお、本実施形態においては遊技盤係止具８を収容部２ａに具備して前面側から遊技盤１０を取付可能に構成しているが、収容部を背面側に設けて遊技盤を背面側において取付可能な構成としてもよい。
【００１８】
遊技盤１０は、板厚１９ｍｍ程度の積層合板を所定形状に切断等して、その表面に所定意匠のセルを貼り付けた化粧板（ベニヤとも称される）１１を基板として構成される。化粧板１１の前面には、上下２分割のレール飾り１２，１３がビス止めされ、内側に略円形の遊技領域ＰＡが区画形成されるとともに、遊技球発射装置（図示せず）から発射される遊技球を遊技領域ＰＡの上部に導く案内レール面１４，１５が形成される。遊技領域ＰＡの内側には多数本の遊技釘とともに風車１６、始動入賞装置１７や大入賞装置１８等の各種入賞装置、図柄表示装置２０が取り付けられた中央飾り１００等の遊技構成部品が取り付けられ、下端部には各入賞装置に入賞することなく遊技領域ＰＡを転動落下した遊技球を回収するためのアウト口１９が設けられる。
【００１９】
前枠２の背面側には、図２に示すように、外枠１の内寸サイズよりも幾分小さめの矩形枠状に形成された裏セット盤３０が、互いの背面右側に配設され、前後方向にスライドさせて開閉作動可能に構成されたヒンジ機構６ａ，６ｂにより横開き開閉および着脱可能に取り付けられ、背面各部に設けられた裏セット盤係止具９を用いて常には前枠２の背面を覆う閉鎖状態に保持される。裏セット盤３０には、遊技球を貯留する球貯留タンク３１、球貯留タンク３１から供給された遊技球を整列させて流下させるタンクレール３２、球圧を軽減して遊技球を下方に流下させるＳ字レール３３、入賞状態等に基いて遊技球を払い出す球払出装置３４、球払出装置３４から払い出された遊技球を球皿４に導く球払出通路３５等の遊技球の処理機構が設けられている。
【００２０】
また、裏セット盤３０の背面には、制御装置、電子部品に電力を供給する電源ユニット４１、パチンコ機ＰＭの作動を統括的に制御する主制御装置４２、効果照明、効果音等の遊技演出の制御を主に行うサブ制御装置４３、遊技球の払出作動を制御する球払出制御装置４４、遊技施設側と信号の入出力を行う外部中継端子基板４５等の各種制御装置、回路基板等の電子部品が取り付けられており、これらが図示しないコネクタケーブルで接続されてパチンコ機ＰＭが作動可能に構成される。
【００２１】
パチンコ機ＰＭは、ガラス扉３、球皿４、裏セット盤３０等が閉鎖施錠された状態で遊技に供され、球皿４に遊技球を貯留させて発射ハンドル５を回動操作することにより遊技が開始される。発射ハンドル５が回動操作されると、球皿４に貯留された遊技球が、球皿４の背面側に配設される遊技球発射装置により１球ずつ遊技領域ＰＡに打ち出され、パチンコゲームが展開される。
【実施例１】
【００２２】
次に、本発明に係る弾球遊技機の第１の実施の形態について図３乃至図６を追加参照しながら説明する。ここで、図３はパチンコ機の遊技盤に装着されるセンター役物ＣＹを示す正面図で、図４はセンター役物ＣＹに設けられた回転体周辺を示す斜視図で、図５は回転体の回転の様子を示す正面図で、（ａ）はその遊技球の受容直後の姿勢を示し、（ｂ）は遊技球を受容した状態で回転する様子を示し、（ｃ）は遊技球を第３ステージ部に排出する様子を示す図で、図６は球排出位置に位置する回転体周辺の斜視図である。
【００２３】
後述するステージ１１０，１２０，１３０、回転体１４０といった遊技構成部品が配設されたセンター役物ＣＹは、樹脂材料を用いて射出成形等により一体的に形成された中央飾り１００を遊技盤１０の中央前面側に取り付けられて構成される。この中央飾り１００の中央部には、前後に開口した略直方体形の内部空間１０１が形成されており、図１に示すように、この内部空間１０１およびガラス扉３を通じて、中央飾り１００の奥に取り付けられた図柄表示装置２０の表示面２０ａを視認できるようになっている。
【００２４】
中央飾り１００の左側部には、遊技領域ＰＡを流下する遊技球が通過可能な球取込口１０２が形成されており、中央飾り１００内のワープ通路１０３に繋がっている。このワープ通路１０３は、中央飾り１００内で球取込口１０２から下方および後方に延びて内部空間１０１へ繋がるように形成されており、球取込口１０２を通過してワープ通路１０３に達した遊技球は、ワープ通路１０３内を転動して内部空間１０１に入球するようになっている。
【００２５】
内部空間１０１の下部には、内部空間１０１に入球した遊技球が転動可能な３つのステージ部が形成され、これら３つのステージ部は、最上部の上段ステージ１１０（請求項３における第１のステージ部）、この上段ステージ１１０の前下方に設けられた中段ステージ１２０、および中段ステージ１２０の前下方に設けられた下段ステージ１３０（請求項３における第２のステージ部）から構成されている。これらのうち、上段ステージ１１０は、内部空間１０１を左右へ延びるように形成され、上段ステージ１１０の上部に波面状の振り分け部１１１が形成されている。振り分け部１１１の左端部はワープ通路１０３に繋がっており、ワープ通路１０３を通過した遊技球が振り分け部１１１上を転動するようになっている。
【００２６】
振り分け部１１１の中央山部には、前方へ向かうにつれて下方へ傾斜する中央傾斜部１１２が形成されており、振り分け部１１１の中央山部で略停止した遊技球は、中央傾斜部１１２を前方へ転動して上段ステージ１１０の前下方に設けられた後述する回転体１４０に落下するようになっている。また、振り分け部１１１の左右谷部には、前方へ向かうにつれて下方へ傾斜する（前方が開放された）左傾斜部１１３および右傾斜部１１４がそれぞれ形成されており、振り分け部１１１の左側谷部もしくは右側谷部で略停止した遊技球は、左傾斜部１１３もしくは右傾斜部１１４を前方へ転動して中段ステージ１２０に落下するようになっている。
【００２７】
すなわち、ワープ通路１０３を通過して振り分け部１１１（上段ステージ１１０）に達した遊技球は、振り分け部１１１（上段ステージ１１０）の上を一時的に停留するように左右へ転動し、回転体１４０に向けて落下するか、傾斜部１１３，１１４のいずれかを通過して中段ステージ１２０に向けて落下するようになっている。
【００２８】
上段ステージ１１０の前下方には、中段ステージ１２０が形成されている。中段ステージ１２０は、その略中央部に設けられた回転体１４０を隔てて、内部空間１０１の左側側部から中央部に波面状に延びる左側中段ステージ１２０ａと内部空間１０１の右側側部から中央部に波面状に延びる右側中段ステージ１２０ｂとに分割されている。また、左側中段ステージ１２０ａの中央谷部には前方へ向かうにつれて下方へ傾斜する（前方が開放された）左傾斜部１２１が形成され、右側中段ステージ１２０ｂの中央谷部には前方へ向かうにつれて下方へ傾斜する（前方が開放された）右傾斜部１２２が形成されている。
【００２９】
このため、左側中段ステージ１２０ａに達した遊技球は、左傾斜部１２１の上を一時的に停留するように左右へ転動し、左傾斜部１２１から中段ステージ１２０の前下方の下段ステージ１３０に向けて落下するようになっている。また、右側中段ステージ１２０ｂに達した遊技球は、右傾斜部１２２の上を一時的に停留するように左右へ転動し、下段ステージ１３０に向けて落下するようになっている。
【００３０】
中段ステージ１２０および回転体１４０の前下方には、下段ステージ１３０が内部空間１０１の左右両側部から中央に向けて下方へ傾斜するように延びて形成されている。下段ステージ１３０の中央部には、前方へ向かうにつれて下方へ傾斜する溝部１３１が前後に延びて形成されている。また、中央飾り１００における下段ステージ１３０の中央部の前下方には、平面視コの字形の上下に開口する遊技球の案内用の球案内部１５０が設けられている。
【００３１】
中段ステージ１２０から傾斜部１２１，１２２のいずれかを通過して下段ステージ１３０に落下した遊技球は、下段ステージ１３０の略中央部上を一時的に停留するように左右に転動して、溝部１３１を前方に転動した後に下方に落下し、上記球案内部１５０を通過して遊技領域ＰＡの下部において中央飾り１００の下方に設けられた始動入賞装置１７に向かうようになっている。
【００３２】
ここで、回転体１４０と、この遊技球を受容したこの回転体１４０の動作について説明する。図４に示すように、中段ステージ１２０における左側中段ステージ１２０ａおよび右側中段ステージ１２０ｂとの間は、半円状に下方に凹んでおり、この半円状に凹んだ部分に回転体１４０が設置されている。この回転体１４０は、プラスチック等からなる略半円筒形の部材に、その外周の一部に遊技球を受容可能な程度の大きさに凹んだ正面視略Ｕ字状の球受容部１４１を設けた形状を呈している。球受容部１４１近傍は上段ステージ１１０の前面に釘等によって打ち付けられて固定され、当該上段ステージ１１０に対して略垂直に延びる回転軸１４２を回転中心として回転自在に構成されている。
【００３３】
また、上段ステージ１１０の前面であって中央傾斜部１１２の前下方には、前方に突出する正面視円弧状の一対の案内部１２３，１２３が左右に形成されている。回転体１４０は、これら案内部１２３，１２３を丁度正面および側面の側から覆うようにして上段ステージ１１０の前面に取り付けられる。これら左右の案内部１２３，１２３は上部及び下部に一個の遊技球が通過可能な程度の間隙を有して対向している。左側中段ステージ１２０ａおよび右側中段ステージ１２０ｂとの間における半円状に凹んだ部分の中央部には、溝部１２４が前後に延びて形成されている。この溝部１２４は、下段ステージ１３０の中央部に設けられた溝部１３１に連通している。
【００３４】
回転体１４０内部は空洞になっており、回転体１４０が静止して遊技球が球受容部１４１に落入するのを待機している自由状態においては、回転体１４０全体の重心位置は回転軸１４２の鉛直下方位置に位置している。このような回転体１４０の自由状態においては、ネジ等からなり前後に延びる金属製の錘１４３と受容面１４１ａを有する球受容部１４１とが設けられた回転体１４０は、その重心位置が最も低くなるような姿勢になる。図５（ａ）に示すように、自由状態における回転体１４０は、後述するように偏った形状に抉られている球受容部１４１との釣り合いから、錘１４３が回転軸１４２の鉛直線Ｌ上よりも、やや右方に偏った位置に位置する。また、このような状態においては、上段ステージ１１０に形成された中央傾斜部１１２の前下方に球受容部１４１が位置して球受容部１４１が上方に開口する球落入位置に、回転体１４０が位置する。なお、球受容部１４１の形状によっては、自由状態における錘１４３は、回転軸１４２の鉛直線Ｌ上よりも、やや左方に偏った位置に位置する。
【００３５】
したがって、遊技領域ＰＡに打ち出され、ワープ通路１０３を通過して振り分け部１１１（上段ステージ１１０）に達した遊技球のうち、振り分け部１１１の中央山部で略停止した遊技球は、中央傾斜部１１２を前方へ転動して球受容部１４１内に落入するようになっている。そして、遊技球を受容したことにより遊技球を含めた回転体１４０全体の重心位置が回転軸１４２よりも上方に移動するため、回転体１４０は、この移動した重心位置を低くしようとして、遊技球を受容した状態で回転軸１４２を中心として回転を開始する。
【００３６】
図５（ａ）に示すように、回転体１４０が球落入位置に位置する状態おいては、球受容部１４１の受容面１４１ａのうち最も低い部分は、回転軸１４２の鉛直線Ｌ上よりも、向かってやや右方の位置に偏って位置している。このように偏って形成された受容面１４１ａで遊技球を受容した遊技球を含む回転体１４０の重心位置は鉛直線Ｌ上よりもやや右方に偏り、且つ、回転軸１４２よりも上方に位置するため、遊技球を受容した回転体１４０は正面視で時計方向に回転する（図５（ｂ）参照）。このとき、案内部１２３により、遊技球に遠心力が作用しても遊技球が球受容部１４１から外に飛び出さないようになっている。
【００３７】
そして、図５（ｃ）に示すように、回転体１４０は遊技球を受容したまま球受容部１４１が鉛直下方に位置する球排出位置まで回転し、遊技球は左右の案内部１２３，１２３間を通過して溝部１２４に落入し、さらに溝部１２４の前下方に形成されている溝部１３１に落入する。前述したように、この溝部１３１は前方へ向かうにつれて下方へ傾斜しており、溝部１３１に落入した遊技球は溝部１３１に案内されるようにして前方に転動して、溝部１３１の前端部から下方に落下する。このようにして落下した遊技球は、下段ステージ１３０の前下方の球１５０を通過した後、遊技領域ＰＡの下部において中央飾り１００の下方に設けられた始動入賞装置１７へ向けて落下するようになっている。
【００３８】
また、図５（ｃ）に示すような球排出位置において遊技球を外部に排出した直後における回転体１４０は、その重心位置が回転軸１４２の鉛直線Ｌに対して左方に偏り、且つ、回転軸１４２よりも上方に位置しているため、回転体１４０は反時計方向へ回転軸１４２を回転中心として回転し、図５（ａ）に示すような球落入位置に戻る。そして、球受容部１４１に別の遊技球が再び落入したときに、回転体１４０が回転を開始するようになっている。なお、回転体１４０の回転の勢いによっては、遊技球を外部に排出した直後における回転体１４０の重心位置が回転軸１４２の鉛直線Ｌに対して右方に偏る場合もあるため、このような場合には、回転体１４０は反時計方向へ回転せずに（反転せずに）、そのまま勢いにのって時計方向に回転し球落入位置に戻ることになる。
【００３９】
以上のように、上段ステージ１１０の中央傾斜部１１２から回転体１４０の球受容部１４１に落入し、回転体１４０から排出されて溝部１３１を前方に転動する遊技球、或いは、左側中段ステージ１２０ａの左傾斜部１２１もしくは右側中段ステージ１２０ｂの右傾斜部１２２から下段ステージ１３０に落下して溝部１３１を前方に転動する遊技球は、中央飾り１００の下方へ始動入賞装置１７に向けて真っ直ぐに落下するため、始動入賞装置１７に入賞し易いようになっている。
【００４０】
これに対し、下段ステージ１３０を転動する遊技球が溝部１３１に落入しなかった場合には、始動入賞装置１７に向けて真っ直ぐには落下せず、このような場合には、始動入賞装置１７に入賞しにくくなっている。
【００４１】
以上第１の実施の形態について説明したように、本発明においては、センター役物ＣＹの内部空間１０１に遊技構成部品として設けられた回転体１４０の存在により、遊技球を所定の方向に誘導することが可能な上、遊技球を始動入賞装置１７に入賞させ易かったり、入賞させにくかったりできるようになっている。そして、このような回転体１４０により、遊技球の落下移動経路を多様に変化させて遊技機の遊技性を向上させることができるようになっている。
【実施例２】
【００４２】
次に、本発明に係る弾球遊技機の第２の実施の形態について図７および図８を参照して説明する。本実施例においては、第１の実施の形態と同様な部分に同一の番号を付して、相違する部分を中心に説明する。なお、図７は第２の実施の形態におけるセンター役物に設けられた回転体周辺を示す正面図で、図８は第２の実施の形態における回転体の回転の様子を示す正面図で、（ａ）はその遊技球の受容直後の姿勢を示し、（ｂ）は遊技球を受容した状態で回転する様子を示し、（ｃ）は遊技球を第２ステージ部に排出する様子を示す図である。
【００４３】
図７に示すように、遊技構成部品である上段ステージ２１０は、その略中央部に設けられ同じく遊技構成部品である回転体１６０を収納可能な回転体収容部１１５を隔てて、内部空間１０１の左側側部から中央部に延びる左側上段ステージ１１０ａと内部空間１０１の右側側部から中央部に延びる右側上段ステージ１１０ｂとに分割されている。また、左側上段ステージ１１０ａおよび右側上段ステージ１１０ｂの上部には波面状の振り分け部１１１が各々形成されている。左側上段ステージ１１０ａの振り分け部１１１の左側端部はワープ通路１０３に繋がっており、ワープ通路１０３を通過した遊技球が振り分け部１１１（上段ステージ２１０）の上を転動するようになっている。
【００４４】
左側上段ステージ１１０ａおよび右側上段ステージ１１０ｂの回転体収容部１１５側山部は対向することにより、下方に開口する開口部１１６が形成されている。この開口部１１６は、回転体収容部１１５への上部入口となっており、上段ステージ２１０を転動する遊技球は開口部１１６に落入可能になっている。回転体収容部１１５は、上部入口である開口部１１６が狭く、中段に向かうにつれて左右の幅が広くなるような正面視で略円形に形成されており、この回転体収容部１１５内部に後述する回転体１６０が収容されるようになっている。
【００４５】
左側上段ステージ１１０ａの振り分け部１１１の谷部には、前方へ向かうにつれて下方へ傾斜する（前方が開放された）左傾斜部１１３が、右側上段ステージ１１０ｂの振り分け部１１１の谷部には、前方へ向かうにつれて下方へ傾斜する（前方が開放された）右傾斜部１１４がそれぞれ形成されており、振り分け部１１１の谷部で略停止した遊技球は、左傾斜部１１３もしくは右傾斜部１１４を前方へ転動して下段ステージ２３０に落下するようになっている。
【００４６】
すなわち、ワープ通路１０３を通過して振り分け部１１１（上段ステージ２１０）に達した遊技球は、振り分け部１１１（上段ステージ２１０）の上を一時的に停留するように左右へ転がり移動し、開口部１１６内に落入するか、傾斜部１１３，１１４のいずれかを通過して上段ステージ２１０から落下するようになっている。
【００４７】
上段ステージ２１０の前下方には、下段ステージ２３０が内部空間１０１の左右両側部から中央に向けて延びて形成されている。また、下段ステージ２３０の中央部には、前方へ向かうにつれて下方へ傾斜する溝部１３５が形成されている。そして、上段ステージ２１０から傾斜部１１３，１１４のいずれかを通過して下段ステージ２３０に落下した遊技球のうち、溝部１３５に落入した遊技球は、溝部１３５を前方に転動して溝部１３５の前端部から中央飾り１００（内部空間１０１）の下方へ落下し、遊技領域ＰＡの下部において中央飾り１００の下方に設けられた始動入賞装置１７へ向かうようになっている。
【００４８】
ここで、回転体１６０と、この遊技球を受容したこの回転体１６０の動作について説明する。図７に示すように、回転体収容部１１５に収容される回転体１６０は、略円筒形の部材に、その外周の一部に遊技球を受容可能な程度の大きさに凹んだ正面視略Ｕ字状の球受容部１６１を設けた形状を呈している。回転体１６０の正面視略中央部は図柄表示装置２０の表示面２０ａ下方に釘によって打ち付けられて固定され、当該表示面２０ａに対して略垂直に延びる回転軸１６２を回転中心として回転自在に構成されている。
【００４９】
回転体１６０内部は空洞になっており、回転体１６０が静止して遊技球が球受容部１６１に落入するのを待機している自由状態においては、回転体１６０全体の重心位置は回転軸１６２の鉛直下方位置に位置している。このような回転体１６０の自由状態においては、ネジ等からなり前後に延びる金属製の錘１６３と球受容部１６１とが設けられた回転体１６０は、その重心位置が最も低くなるような姿勢になる。図８（ａ）に示すように、自由状態における回転体１６０は、自由状態における回転体１６０は、後述するように偏った形状に抉られている球受容部１６１との釣り合いから、錘１６３が回転軸１６２の鉛直線Ｌ´上よりも、やや右方に偏った位置に位置する。また、このような状態においては、上段ステージ２１０に形成された開口部１１６と球受容部１６１とが上下に連通するように球受容部１４１が位置して球受容部１４１が上方に開口する球落入位置に、回転体１６０が位置する。なお、球受容部１６１の形状によっては、自由状態における錘１６３は、回転軸１６２の鉛直線Ｌ´上よりも、やや左方に偏った位置に位置する。
【００５０】
したがって、遊技領域ＰＡに打ち出され、ワープ通路１０３を通過して振り分け部１１１（上段ステージ２１０）に達した遊技球のうち、振り分け部１１１（上段ステージ２１０）の上を一時的に停留するように左右へ転がり移動した後に開口部１１６内に落入した遊技球は、そのまま回転体１６０の球受容部１６１に受容されるようになっている（図８（ａ）参照）。そして、遊技球を受容したことにより、遊技球を含めた回転体１６０全体の重心位置が回転軸１６２よりも上方に移動するため、回転体１６０は、この移動した重心位置を低くしようとして、遊技球を受容した状態で回転軸１６２を中心として回転を開始する。
【００５１】
図８（ａ）に示すように、回転体１６０が球落入位置に位置する状態おいては、球受容部１６１の受容面１６１ａのうち最も低い部分は、回転軸１６２の鉛直線Ｌ´上よりも、向かってやや右方の位置に偏って位置している。このような偏って形成された受容面１６１ａで遊技球を受容した遊技球を含む回転体１６０の重心位置は鉛直線Ｌ´上よりもやや右方に偏り、且つ、回転軸１６２よりも上方に位置するため、遊技球を受容した回転体１６０は正面視で時計方向に回転する（図８（ｂ）参照）。このとき、回転体収容部１１５の壁面により、遊技球に遠心力が作用しても遊技球が球受容部１６１から外に飛び出さないようになっている。
【００５２】
そして、図８（ｃ）に示すように、回転体１６０は遊技球を受容したまま球受容部１６１が最下点に位置する球排出位置まで回転し、遊技球は球受容部１６１から排出されて下段ステージ２３０に形成された溝部１３５に落入する。前述したように、この溝部１３５は前方へ向かうにつれて下方へ傾斜しており、溝部１３５に落入した遊技球は溝部１３５に案内されるように前方に転動して、溝部１３５の前端部から遊技領域ＰＡの下部において中央飾り１００の下方に設けられた始動入賞装置１７へ向けて落下するようになっている。
【００５３】
また、図８（ｃ）に示すような球排出位置において遊技球を外部に排出した回転体１６０は、その重心位置が回転軸１６０の鉛直線Ｌ´に対して左方に偏り、且つ、回転軸１６２よりも上方に位置しているため、回転体１６０は反時計方向へ回転軸１６２を回転中心として回転し、球落入位置（図７参照）に戻る。そして、球受容部１６１に別の遊技球が再び落入したときに、回転体１６０が回転を開始するようになっている。なお、回転体１６０の回転の勢いによっては、遊技球を外部に排出した直後における回転体１６０の重心位置が回転軸１６２の鉛直線Ｌ´に対して右方に偏る場合もあり、このような場合には、回転体１６０は反時計方向へ回転せずに（反転せずに）、そのまま勢いにのって時計方向に回転し球落入位置に戻ることになる。
【００５４】
以上のように、上段ステージ２１０の開口部１１６から回転体１６０の球受容部１６１に落入し、回転体１６０から排出されて溝部１３５を前方に転動する遊技球、もしくは、上段ステージ２１０の左傾斜部１１３もしくは右傾斜部１１４から下段ステージ２３０に落下して溝部１３５を前方に転動する遊技球は、中央飾り１００の下方へ始動入賞装置１７に向けて真っ直ぐに落下するため、始動入賞装置１７に入賞し易いようになっている。
【００５５】
これに対し、下段ステージ２３０を転動する遊技球が溝部１３５に落入しなかった場合には、始動入賞装置１７に向けて真っ直ぐには落下せず、このような場合には、始動入賞装置１７に入賞しにくくになっている。
【００５６】
以上第２の実施の形態について説明したように、本発明においては、遊技構成部品として設けられた回転体１６０の存在により、遊技球を所定の方向に誘導することが可能な上、第１の実施の形態と同様に、遊技球を始動入賞装置１７に入賞させ易かったり、入賞させにくかったりできるようになっている。そして、このような回転体１６０により、遊技球の落下移動経路を多様に変化させて遊技機の遊技性を向上させることができるようになっている。
【００５７】
なお、これまで本発明の好ましい実施形態について、第１および第２実施例を一例として説明してきたが、本発明の範囲は上述した実施形態に限定されるものではない。例えば回転体に設けられる錘を、回転体の回転に応じて回転体内部を移動するようなもので構成してもよい。このような構成の回転体は、その基本的な外部の形状は上記の実施例と同様で球受容部を有したものであるが、回転体内部に錘として作用する水、もしくは砂のような流動性を有するものを貯留する錘貯留部が設けられている。そしてこの錘貯留部は、回転体の回転軸の鉛直線に対して左右非対称になるような形状に形成されている。
【００５８】
このような錘貯留部を回転体に構成すれば、回転体が球排出位置において遊技球を排出した直後においては、錘貯留部の左右非対称な形状のため、錘貯留部の錘が回転体の回転軸の鉛直線に対して左右いずれかの方向に多く流れる。このため、回転体の重心位置が回転軸の鉛直線に対して錘の流れる方向に左右いずれかに偏り、回転体が球排出位置から自由状態である球落入位置に戻ることとなる。ここで、錘の流れる方向によっては、回転体は遊技球の排出直後に反転して球落入位置に戻ることも可能である。なお、上記のような錘貯留部を内部に有する回転体において、錘貯留部内に貯留される錘として、上記のような水、もしくは砂のようなものの代わりに複数の球体を用いてもよい。
【００５９】
ここで、本発明において達成される効果をまとめると下記のようになっている。すなわち、本発明に係る弾球遊技機においては、内部空間に導入された遊技球がステージを転動しつつ中央飾りの下方に向けて落下するが、内部空間には遊技球の落下経路を変更するための回転体が設けられている。ステージを転動する遊技球がこの回転体によって受容されると、遊技球を受容した状態で回転した後に遊技球を所定の方向に排出するようになっている。このように回転体を設けることにより、遊技球の落下移動経路を多様に変化させて遊技演出効果を向上させることができる。
【００６０】
また、回転体の存在によって遊技球を入賞装置に入賞させ易くしたり、入賞させにくくしたりすることが可能で、特に、回転体を通過した遊技球は入賞装置に入賞し易いように構成されており、遊技性がより向上した遊技装置構成になっている。さらに、この回転体は、モータやソレノイドといった動力を必要としないため、外部からの電力供給が不要で外部配線が不要であり配線による制約を受けないことから、センター役物のステージ上に自由に配設することができるという利点を有する。その上、モータやソレノイドを必要としない分、部品の数を減らすことができ、遊技装置を構成する上でのコストを削減することができる。
【図面の簡単な説明】
【００６１】
【図１】本発明に係る遊技構成部品およびこれを備えた弾球遊技機の一例として示すパチンコ機の正面図である。
【図２】上記パチンコ機の内部構造を表した背面図である。
【図３】上記パチンコ機の遊技盤に装着されるセンター役物を示す正面図である。
【図４】上記センター役物に設けられた回転体周辺を示す斜視図である。
【図５】上記回転体の回転の様子を示す正面図で、（ａ）はその遊技球の受容直後の姿勢を示し、（ｂ）は遊技球を受容した状態で回転する様子を示し、（ｃ）は遊技球を第３ステージ部に排出する様子を示す図である。
【図６】球排出位置に位置する回転体周辺の斜視図である。
【図７】第２の実施の形態におけるセンター役物に設けられた回転体周辺を示す正面図である。
【図８】第２の実施の形態における回転体の回転の様子を示す正面図で、（ａ）はその遊技球の受容直後の姿勢を示し、（ｂ）は遊技球を受容した状態で回転する様子を示し、（ｃ）は遊技球を第２ステージ部に排出する様子を示す図である。
【符号の説明】
【００６２】
ＰＭ  パチンコ機（弾球遊技機）
ＰＡ  遊技領域
ＣＹ  センター役物
１  外枠
２  前枠
５  ガラス扉
６  球皿
１０  遊技盤
１７  始動入賞装置（入賞装置）
１８  大入賞装置（入賞装置）
２０  図柄表示装置
１００  中央飾り
１０１  内部空間
１１０  上段ステージ（第１のステージ部）
２１０  上段ステージ（第１のステージ部）
１１５  回転体収容部
１１６  開口部
１２０  中段ステージ
１２４  溝部
１３０  下段ステージ（第２のステージ部）
２３０  下段ステージ（第２のステージ部）
１３１  溝部
１３５  溝部
１４０  回転体（遊技構成部品）
１４１  球受容部
１４１ａ  受容面
１４２  回転軸
１４３  錘
１６０  回転体（遊技構成部品）
１６１  球受容部
１６１ａ  受容面
１６２  回転軸
１６３  錘
【図１】
2006149923.tif 000003
【図２】
2006149923.tif 000004
【図３】
2006149923.tif 000005
【図４】
2006149923.tif 000006
【図５】
2006149923.tif 000007
【図６】
2006149923.tif 000008
【図７】
2006149923.tif 000009
【図８】
2006149923.tif 000010